(57)【特許請求の範囲】
【請求項１】
互いに対向して配置された上コア及び下コアと、上記上コア及び下コアにより形成される磁路が鎖交するように上記上コアと上記下コアとの間に配されたコイルとを有する磁気部品と、該磁気部品を保持するバネホルダとを備え、
該バネホルダは、上記上コアの上面に圧接する板バネ部と、該板バネ部の両端から垂下すると共に上記下コアの下面を係止する一対の保持脚部とを有し、
該保持脚部は、上記上コア及び下コアの側面に対向配置される垂下部と、該垂下部の先端側において上記下コアの下面を係止する引掛け部を有し、
該引掛け部は、上記一対の保持脚部の並び方向及び上下方向の双方に平行な断面において内側に凸となる、曲面を備えた磁気部品ユニットにおいて、
該磁気部品ユニットを被固定部に固定するための固定用バネ部材を備え、該固定用バネ部材は、上記被固定部への固定時に上記上コアの上面を押圧する固定用板バネ部を有し、該固定用板バネ部において、上記磁気部品と上記バネホルダとの間に挟持されていることを特徴とする磁気部品ユニット。
【請求項２】
請求項１に記載の磁気部品ユニットにおいて、上記バネホルダは、上記一対の保持脚部が、下方に向かうほど互いに近づくように傾斜して形成されると共に、互いに近づく方向に付勢されていることを特徴とする磁気部品ユニット。
【請求項３】
請求項２に記載の磁気部品ユニットにおいて、上記引掛け部の突出量は、上記保持脚部と上記上コアとの間に形成されるクリアランスの最大幅と同等になるように形成されていることを特徴とする磁気部品ユニット。
【請求項４】
請求項１〜３のいずれか一項に記載の磁気部品ユニットにおいて、上記保持脚部は、上記垂下部の一部を内側に突出させて上記上コアの側面と上記下コアの側面とにわたって当接する側面当接部を有していることを特徴とする磁気部品ユニット。
【請求項５】
請求項１〜４のいずれか一項に記載の磁気部品ユニットにおいて、上記コイルは絶縁部材に固定されてコイルアッセンブリを構成し、該コイルアッセンブリは、上記上コア及び下コアを、上下に直交する方向の四方から囲うように配され、上記バネホルダにおける上記保持脚部の上記垂下部は、上記上コア及び下コアと上記コイルアッセンブリとの間に配されていることを特徴とする磁気部品ユニット。
【発明の詳細な説明】
【技術分野】
【０００１】
本発明は、磁気部品と磁気部品を保持するためのバネホルダとを備えた磁気部品ユニットに関する。
【背景技術】
【０００２】
例えば、トランス、チョークコイル、リアクトル等の磁気部品として、導体を巻回してなるコイルと、該コイルを巻回軸方向の両側から挟持するように配された上コア及び下コアとを有するものがある。
かかる磁気部品を筐体等の被固定体に固定するに当たって、図１１に示すごとく、上コア９２１と下コア９２２とコイル９２３とから構成されている磁気部品９２において、磁気部品９２の上コア９２１と下コア９２２とを保持する保持部９３４と、磁気部品９２を被固定体である筐体９４に固定する固定部９３５とを有するバネホルダ９３を用いることが提案されている（特許文献１）。
【０００３】
すなわち、まず、保持部９３４によって上コア９２１と下コア９２２とを巻回軸方向から挟持することにより、磁気部品９２にバネホルダ９３を装着して磁気部品ユニット９を形成する。上記保持部９３４は、保持用板バネ部９３１と保持脚部９３２から構成され、磁気部品９２の上コア９２１と下コア９２２とを保持する機能を有する。
次いで、上記固定部９３５を筐体９４に対してネジ９５を用いてネジ留めすることにより、磁気部品ユニット９を筐体９４に固定する。
【先行技術文献】
【特許文献】
【０００４】
【特許文献１】特開２００９−９４３１２号公報
【発明の概要】
【発明が解決しようとする課題】
【０００５】
しかしながら、上記バネホルダ９３の保持部９３４は、保持脚部９３２の下端部において、内側に屈曲して突出する下コア９２２の下面を支承する支承部９３６を形成している。そのため、磁気部品９２に対して保持部９３４を上方から組付ける際、支承部９３６の端部を磁気部品９２の側面に対して摺動させると、その組付け途中で支承部９３６が、上コア９２１と下コア９２２との境界部分に引掛かりやすい。そのため、上コア９２１や下コア９２２に欠けを生じさせるおそれがある。
【０００６】
そこで、上記の問題を防ぐために、組付け作業において、上記保持部９３４の保持脚部９３２を、ある程度外側に開いて変形させた状態で組付けることが必要とされる。しかし、この場合は、以下の問題が生じやすい。すなわち、保持脚部９３２を上述のごとく変形させることで、保持脚部９３２の変位が塑性域まで達しやすく、保持脚部９３２が塑性変形を起こしやすい。その結果、保持脚部９３２が外側に開いて変形したまま復元せず、磁気部品９２への組付けが不可能になるおそれがある。
【０００７】
また、仮に保持脚部９３２の塑性変形を回避できたとしても、保持脚部９３２の組付け作業においては、保持脚部９３２を所定量弾性変形させる作業を必要とする。そのため、手組みではその手間がかかり作業性が悪化し、自動組付けでは設備が複雑となる。
また、保持脚部９３２を外側に開いて変形させるには、変形方向にある程度スペースが必要となる。そして、そのスペースは、保持脚部９３２の組付け後においてデッドスペースとなりやすい。
【０００８】
本発明は、かかる背景に鑑みてなされたもので、磁気部品への組付け性に優れ、コアの欠けが発生し難い、省スペース化の可能な磁気部品ユニットを提供しようとするものである。
【課題を解決するための手段】
【０００９】
本発明の一態様は、互いに対向して配置された上コア及び下コアと、上記上コア及び下コアにより形成される磁路が鎖交するように上記上コアと上記下コアとの間に配されたコイルとを有する磁気部品と、該磁気部品を保持するバネホルダとを備え、該バネホルダは、上記上コアの上面に圧接する板バネ部と、該板バネ部の両端から垂下すると共に上記下コアの下面を係止する一対の保持脚部とを有し、
該保持脚部は、上記上コア及び下コアの側面に対向配置される垂下部と、該垂下部の先端側において上記下コアの下面を係止する引掛け部を有し、該引掛け部は、上記一対の保持脚部の並び方向及び上下方向の双方に平行な断面において内側に凸となる、曲面を備えた磁気部品ユニットにおいて、
該磁気部品ユニットを被固定部に固定するための固定用バネ部材を備え、該固定用バネ部材は、上記被固定部への固定時に上記上コアの上面を押圧する固定用板バネ部を有し、該固定用板バネ部において、上記磁気部品と上記バネホルダとの間に挟持されていることを特徴とする磁気部品ユニットにある（請求項１）。
【発明の効果】
【００１０】
上記磁気部品ユニットは、上記バネホルダの上記保持脚部が、上記垂下部と上記引掛け部を有すると共に、上記引掛け部が、上記一対の保持脚部の並び方向及び上下方向の双方に平行な断面において内側に凸となる曲面を備えている。これにより、上記バネホルダの上記磁気部品への組付けの際、上記保持脚部は、上記引掛け部の曲面において上記上コア又は下コアの側面に当接した状態のまま、下方に滑らせて組付けることができる。このとき、上記引掛け部は、上記上コアと下コアとの境界部分に引掛かりにくく、コア欠けを防ぐことができる。上記構成は、上記バネホルダの上記保持脚部の上記引掛け部を、上記断面において内側に凸となる曲面を備えた簡易な形状に構成することによって実現される。
【００１１】
また、組付け作業において、上記保持脚部を必要以上に変形させる作業が不要であるため、上記保持脚部が塑性変形を起こすことも防止できると共に、その組付け性を向上させることができる。また、上記保持脚部を必要以上に変形させる作業が不要であるため、上コア及び下コアの側方に大きなスペースがなくてもバネホルダを磁気部品に容易に組付けることができる。そしてこれにより、上コア及び下コアの側方にデッドスペースが形成されることを防ぎ、上記磁気部品ユニットの省スペース化を図ることができる。
【００１２】
以上のごとく、上記態様によれば、磁気部品への組付け性に優れ、コアの欠けが発生し難い、省スペース化の可能な磁気部品ユニットを提供することができる。
【図面の簡単な説明】
【００１３】
【図１】参考例１における、磁気部品ユニットの斜視図。
【図２】図１のＡ−Ａ線矢視断面図。
【図３】参考例１における、バネホルダの斜視図。
【図４】参考例１における、図２に相当する磁気部品の断面説明図。
【図５】参考例１における、図２に相当する断面説明図であって、バネホルダの磁気部品への組付け途中における変形状態を示す説明図。
【図６】参考例２における、磁気部品ユニットの図２に相当する断面説明図。
【図７】実施例１における、磁気部品ユニットの斜視図。
【図８】実施例１における、磁気部品ユニットの平面図。
【図９】実施例２における、コイルアッセンブリの平面図。
【図１０】実施例２における、磁気部品ユニットの平面図。
【図１１】背景技術における、磁気部品ユニットの展開斜視説明図。
【発明を実施するための形態】
【００１４】
上記磁気部品ユニットにおいて、上記上コア及び上記下コアは、特に、上下関係を限定するものではなく、便宜的な表現であり、これらの位置関係が上下逆になっても、水平方向や斜めとなってもよい。同様に、他の「上」、「下」の表現も、特に示さない限り実際の上下関係を限定するものではない。
【００１５】
上記磁気部品としては、例えば、トランス、チョークコイル、リアクトル等がある。
また、上記バネホルダは、１個であっても、複数個配設されていてもよい。
また、上記上コア及び上記下コアは、それぞれ複数個あってもよい。この場合、コアの数に対応して、複数の上記バネホルダが配置されていることが好ましい。
また、上記磁気部品ユニットにおいては、上記バネホルダとは別に、筺体等の被固定体に固定可能な固定用バネ部材を配して構成してもよい。
【００１６】
また、上記バネホルダは、少なくとも上記板バネ部が変形可能となっており、その変形は、主に弾性変形であるが、その変位によっては、塑性変形をも生じることもある。すなわち、板バネ部の変位が弾性域内に収まっていれば、弾性変形のみとなるが、板バネ部の変位が塑性域まで達すれば、弾性変形に併せて塑性変形も生じる。ただし、この場合でも、弾性変形分の復元力は保持した状態にあるため、塑性変形を伴って変形した状態で上記バネホルダが磁気部品に装着されても、その機能を発揮することは可能である。
したがって、本明細書では、上記板バネ部を含め上記バネホルダの各部に関して「変形」と言った場合には、主に弾性変形を意味するが、弾性変形と併せて塑性変形する場合をも意味する。
【００１７】
上記バネホルダは、上記一対の保持脚部が、下方に向かうほど互いに近づくように傾斜して形成されると共に、互いに近づく方向に付勢されていることが好ましい（請求項２）。この場合には、上記保持脚部の上記引掛け部を上記下コアの下面に確実に引掛けることができる。そのため、上記バネホルダに上記磁気部品を安定して保持させることができる。
【００１８】
また、上記引掛け部の突出量は、上記保持脚部と上記上コアとの間に形成されるクリアランスの最大幅と同等になるように形成されていることが好ましい（請求項３）。この場合には、上記バネホルダを上記磁気部品へ組付ける途中において、上記保持脚部の上記垂下部を、上記上コア及び下コアの側面と略平行になるようにすることができる。
それゆえ、上記バネホルダの組付け時に必要な上記上コア及び下コアの側方におけるスペースを広げることなく、上記引掛け部の突出量を最大限に大きくすることができる。その結果、上記磁気部品ユニットの省スペース化と上記バネホルダよる上記磁気部品の保持の安定性との両立を効果的に図ることができる。
【００１９】
また、上記保持脚部は、上記垂下部の一部を内側に突出させて上記上コアの側面と上記下コアの側面とにわたって当接する側面当接部を有していることが好ましい（請求項４）。この場合には、上記上コアと下コアとが、一対の上記保持脚部の並び方向にずれることを防止することができる。
【００２０】
また、上記コイルは絶縁部材に固定されてコイルアッセンブリを構成し、該コイルアッセンブリは、上記上コア及び下コアを、上下に直交する方向の四方から囲うように配され、上記バネホルダにおける上記保持脚部の上記垂下部は、上記上コア及び下コアと上記コイルアッセンブリとの間に配されていることが好ましい（請求項５）。この場合には、上記バネホルダを上記磁気部品へ組付ける際に、上記保持脚部を上記上コア及び下コアと上記コイルアッセンブリとの間に挿入することとなるが、その組付け作業を容易に行うことができる。すなわち、上記保持脚部を上記上コア及び下コアと上記コイルアッセンブリとの間に挿入するためには、上記保持脚部を大きく広げることができない。そのため、上記曲面を備えた引掛け部を有する上記バネホルダを用いることで、上記上コア及び下コアに欠けを生じさせることなく、これらの側面に引掛け部を摺動させて、容易に上記磁気部品に上記バネホルダを装着することができる。また、例えば、通常行われる上記上コアと上記下コアとを保持するために両者の接合面の外周をテープで巻く、いわゆるテープ巻きを行った場合では容易に行えない組付け作業を容易に実現することができる。
【００２１】
また、上記磁気部品ユニットは、該磁気部品ユニットを被固定部に固定するための固定用バネ部材を備え、該固定用バネ部材は、上記被固定部への固定時に上記上コアの上面を押圧する固定用板バネ部を有し、該固定用板バネ部において、上記磁気部品と上記バネホルダとの間に挟持されている（請求項１）。これにより、上記固定用バネ部材を、上記上コアの上面に対して、上記バネホルダによって挟持させて配置させることができる。そのため、上記固定用バネ部材によって、上記磁気部品を筺体などの被固定部に対して固定することができる。
また、上記固定用バネ部材が、上記固定用板バネ部において、上記バネホルダの上記板バネと上記上コアとの間に挟持された状態となるため、上記磁気部品ユニットの一部として、上記固定用バネ部材を上記磁気部品と一体化できる。そのため、部品の搬送、組付け等の取扱いが容易となる。なお、上記バネホルダの上記固定用バネ部材に対する押圧を安定させるため、上記固定用板バネ部は、平面部を有していることがより好ましい。
【実施例】
【００２２】
（参考例１）
参考例にかかる磁気部品ユニットにつき、図１〜図５を用いて説明する。
本例の磁気部品ユニット１は、図１〜図３に示すごとく、互いに対向して配置された上コア２１及び下コア２２と、上コア２１及び下コア２２により形成される磁路が鎖交するように上コア２１と下コア２２との間に配されたコイル２３とを有する磁気部品２と、磁気部品２を保持するバネホルダ３とを備えている。
【００２３】
バネホルダ３は、上コア２１の上面２１１に圧接する板バネ部３１と、板バネ部３１の両端から垂下すると共に下コア２２の下面２２１を係止する一対の保持脚部３２とを有している。
また、保持脚部３２は、上コア２１及び下コア２２の側面２１０、２２０に対向配置される垂下部３２１と、垂下部３２１の先端側において下コア２２の下面２２１を係止する引掛け部３２２を有している。
また、図２に示すごとく、引掛け部３２２は、一対の保持脚部３２の並び方向及び上下方向の双方に平行な断面において内側に凸となる、曲面３２３を備えている。
【００２４】
また、バネホルダ３は、一対の保持脚部３２が、下方に向かうほど互いに近づくように傾斜して形成されると共に、互いに近づく方向に付勢されている。
また、引掛け部３２２の突出量Ｗ１は、保持脚部３２と上コア２１との間に形成されるクリアランスの最大幅Ｗ２と同等になるように形成されている。
【００２５】
ここで、上記同等とは、上記突出量Ｗ１と上記クリアランスの最大幅Ｗ２とが完全に一致することのみを表すものではなく、後述するごとく、引掛け部３２２を上コア２１又は下コア２２の側面２１０、２２０に当接した状態において、保持脚部３２の垂下部３２１が、上コア２１及び下コア２２の側面２１０、２２０に対して略平行となる程度であればよい。つまり、上記突出量Ｗ１と上記クリアランスの最大幅Ｗ２とに多少の誤差が生じ得る範囲において同等であることを意味する。
【００２６】
また、バネホルダ３は、少なくとも板バネ部３１が弾性変形可能となっている。そのため、図２に示すごとく、バネホルダ３の磁気部品２への組付け後の状態では、弾性変形した板バネ部３１は、上コア２１の上面２１１を下方へ押圧した状態となる。かかる板バネ部３１による上コア２１の上面２１１の押圧と、引掛け部３２２による下コア２２の下面２２１の係止とによって、バネホルダ３は、上コア２１と下コア２２とを上下方向に保持している。
【００２７】
本例においては、磁気部品２は、ＤＣ−ＤＣコンバータ等において使用されるチョークコイルである。
また、図１に示すごとく、上コア２１及び下コア２２は、コイル２３の巻回中心軸に沿った平面による断面の形状が略Ｅ字状となる、いわゆるＥ型コアであり、コイル２３の内側に挿入配置される中心磁脚２１２、２２２と、コイル２３の外周に配される外側磁脚２１３、２２３とを有する。そして、上コア２１と下コア２２とは、中心磁脚２１２、２２２同士において、互いに当接している。そして、中心磁脚２１２、２２２における上コア２１の側面２１０と下コア２２の側面２２０とは同一面を構成している。
本例においては、中心磁脚２１２、２２２における上コア２１の側面２１０と下コア２２の側面２２０に沿って、保持脚部３２の垂下部３２１が配されるように、バネホルダ３が磁気部品２に対して装着されている。
【００２８】
また、バネホルダ３は、例えばステンレス鋼、銅または銅合金等の金属板を切り曲げすることによって構成されている。
また、板バネ部３１は、図２、図３に示すごとく、中央が下方へ向かうように湾曲しており、その中央部において上コア２１の上面２１１に当接している。
【００２９】
また、バネホルダ３は、一対の保持脚部３２が互いに近付く方向に付勢されている。すなわち、図３に示すごとく、磁気部品２に装着する前の状態（自由状態）においては、装着された状態（図２）よりも、一対の保持脚部３２が互いに近付いており両者の間の距離が小さい状態にある。
また、上コア２１及び下コア２２はフェライトからなる。
【００３０】
本例の磁気部品ユニット１を形成するに当たっては、まず、図４に示すごとく、コイル２３（図４においては省略）をその上下から上コア２１と下コア２２とによって挟持した状態の磁気部品２を構成し、この磁気部品２に対して、図３に示すバネホルダ３を装着する。
バネホルダ３の装着にあたっては、図５に示すごとく、バネホルダ３における保持脚部３２を外方へ広げるように若干変形させる。このとき、板バネ部３１も多少変形する。そして、一対の引掛け部３２２の曲面３２３の間の距離が、磁気部品２の幅と同等以上となるまで変形させる。
【００３１】
この状態で、保持脚部３２を、引掛け部３２２の曲面３２３において上コア２１の側面２１０に当接させ、下方に滑らせる。これにより、引掛け部３２２の曲面３２３は、上コア２１の側面２１０と、下コア２２の側面２２０との間の継ぎ目を越えて、下コア２２の側面２２０に当接した状態でさらに下方へ滑る。その後、板バネ部３１が上コア２１の上面２１１に当接する。この状態において、一対の保持脚部３２を押し下げることにより、板バネ部３１を弾性変形させる。これにより、一対の引掛け部３２２は下コア２２の下面２２１に係合される。
以上により、図１に示す磁気部品ユニット１を組み立てる。
【００３２】
次に、本例の作用効果につき、説明する。
上記磁気部品ユニット１は、バネホルダ３の保持脚部３２が、垂下部３２１と引掛け部３２２を有すると共に、引掛け部３２２が、一対の保持脚部３２の並び方向及び上下方向の双方に平行な断面において内側に凸となる曲面３２３を備えている。これにより、図５に示すごとく、バネホルダ３の磁気部品２への組付けの際、保持脚部３２は、引掛け部３２２の曲面３２３において上コア２１又は下コア２２の側面２１０、２２０に当接した状態のまま、下方に滑らせて組付けることができる。このとき、引掛け部３２２は、上コア２１と下コア２２との境界部分に引掛かりにくく、コア（上コア２１又は下コア２２）の欠けを防ぐことができる。上記構成は、バネホルダ３の保持脚部３２の引掛け部３２２を、上記断面において内側に凸となる曲面３２３を備えた簡易な形状に構成することによって実現される。
【００３３】
また、組付け作業において、保持脚部３２を必要以上に変形させる作業が不要であるため、保持脚部３２が塑性変形を起こすことも防止できると共に、その組付け性を向上させることができる。また、図５に示すごとく、保持脚部３２を必要以上に変形させる作業が不要であるため、上コア２１及び下コア２２の側方に大きなスペースがなくてもバネホルダ３を磁気部品２に容易に組付けることができる。そしてこれにより、上コア２１及び下コア２２の側方にデッドスペースが形成されることを防ぎ、磁気部品ユニット１の省スペース化を図ることができる。
【００３４】
また、バネホルダ３は、一対の保持脚部３２が、下方に向かうほど互いに近づくように傾斜して形成されると共に、互いに近づく方向に付勢されている。これにより、保持脚部３２の引掛け部３２２を下コア２２の下面２２１に確実に引掛けることができる。そのため、バネホルダ３に磁気部品２を安定して保持させることができる。
【００３５】
また、引掛け部３２２の突出量Ｗ１は、保持脚部３２と上コア２１との間に形成されるクリアランスの最大幅Ｗ２と同等になるように形成されている。これにより、バネホルダ３を磁気部品２へ組付ける途中において、保持脚部３２の垂下部３２１を、上コア２１及び下コア２２の側面２１０、２２０と略平行にとなるようにすることができる。それゆえ、バネホルダ３の組付け時に必要な上コア２１及び下コア２２の側方におけるスペースを広げることなく、引掛け部３２２の突出量Ｗ１を最大限に大きくすることができる。その結果、磁気部品ユニット１の省スペース化と、バネホルダ３よる磁気部品２の保持の安定性との両立を効果的に図ることができる。
【００３６】
以上のごとく、本例によれば、磁気部品への組付け性に優れ、コアの欠けが発生し難い、省スペース化の可能な磁気部品ユニットを提供することができる。
【００３７】
（参考例２）
本例は、図６に示すごとく、保持脚部３２の一部に側面当接部３２４を形成した例である。
保持脚部３２は、図６に示すごとく、垂下部３２１の一部を内側に突出させて、上コア２１の側面２１０と下コア２２の側面２２０とにわたって当接する側面当接部３２４を形成している。
【００３８】
また、側面当接部３２４は、図６に示すごとく、上コア２１の側面２１０と下コア２２の側面２２０とに面接触できるように平面状に形成されている。この平面状の側面当接部３２４が、下コア２２と上コア２１との接合面の上下にわたって、側面２１０と側面２２０とに当接している。
なお、本例の側面当接部３２４は、垂下部３２１の一部を内側に突出させるように屈曲して形成されている。
しかし、側面当接部３２４は上述した平面状の部分を有して形成されればよく、例えば、垂下部３２１の一部を内側に突出させるように打抜いて、輪郭の一部を垂下部３２１から切り離して側面当接部３２４を成形してもよい。
その他は、参考例１と同様である。
【００３９】
本例の場合には、保持脚部３２は、垂下部３２１の一部を内側に突出させて上コア２１の側面２１０と下コア２２の側面２２０とにわたって当接する側面当接部３２４を有している。これにより、上コア２１と下コア２２とが、一対の保持脚部の並び方向にずれることを防止することができる。
その他、参考例１と同様の作用効果を有する。
【００４０】
（実施例１）
本例は、図７、図８に示すごとく、上コア２１の上面２１１において、バネホルダ３と磁気部品２との間に、固定用バネ部材４を配置した例である。
固定用バネ部材４は、図示しないＤＣ−ＤＣコンバータの筺体あるいは基板等に磁気部品ユニット１を固定するための部材である。
固定用バネ部材４は、図７に示すごとく、固定用板バネ部４１と一対の固定用脚部４２とから構成されている。固定用板バネ部４１は、平面状をなす平面部４１０を中央に有している。固定用脚部４２は、固定用板バネ部４１の両端からそれぞれ下方に垂下した垂下部４２１と、該垂下部４２１の下端から外方へ屈曲したフランジ部４２２とを有する。フランジ部４２２には、固定用ネジ（図示略）を挿通するための貫通孔４２３が形成されている。貫通孔４２３は、図８に示すごとく、フランジ部４２２の突出方向に長い長孔からなる。
【００４１】
固定用バネ部材４は、固定用板バネ部４１が、バネホルダ３の板バネ３１に対して直交する方向となるように配されている。そして、固定用板バネ部４１は、上コア２１の上面２１１と板バネ３１との間を通過するように配されている。また、垂下部４２１は、バネホルダ３の垂下部３２１が対向する磁気部材２の側面２１０と直交する側面２１４に対向配置されている。
なお、本例の固定用バネ部材４は、バネホルダ３とは別体で形成されている。しかし、これに限定されるものではなく、例えば、固定用バネ部材４をバネホルダ３と一体に形成してもよい。
その他は、参考例１と同様である。
【００４２】
本例の場合には、図７、図８に示すごとく、固定用バネ部材４を、上コア２１の上面２１１に対して、バネホルダ３によって挟持させて配置させることができる。そのため、固定用バネ部材４によって、磁気部品２を筺体などの被固定部に対して固定することができる。
【００４３】
また、固定用バネ部材４が、固定用板バネ部４１において、バネホルダ３の板バネ３１と上コア２１との間に挟持された状態となるため、磁気部品ユニット１の一部として、固定用バネ部材４を磁気部品２と一体化できる。そのため、部品の搬送、組付け等の取扱いが容易となる。
また、固定用板バネ部４１は、平面部４１０を中央に有している。これによって、バネホルダ３の固定用バネ部材４１に対する押圧を安定させることができる。
その他、参考例１と同様の作用効果を有する。
【００４４】
（実施例２）
本例は、図９、図１０に示すごとく、コイル２３を固定してなるコイルアッセンブリ２４を構成し、上コア２１及び下コア２２とコイルアッセンブリ２４との間に、バネホルダ３の垂下部３２１を配置した例である。
コイル２３は、図９に示すごとく、絶縁部材（絶縁材フレーム２５）に固定されてコイルアッセンブリ２４を構成している。そして、図１０に示すごとく、コイルアッセンブリ２４は、上コア２１及び下コア２２を、上下に直交する方向の四方から囲うように配されている。
また、バネホルダ３における保持脚部３２の垂下部３２１は、上コア２１及び下コア２２とコイルアッセンブリ２４との間に配されている。
【００４５】
コイルアッセンブリ２４は、図９に示すごとく、コイル２３が絶縁材フレーム２５に固定されることにより構成されている。なお本例では、絶縁材フレーム２５は樹脂から形成されている。
絶縁材フレーム２５は、上方から見た形状において、略四角形状に形成された外周壁２５１と、外周壁２５１の内側において、互いに対向する一対の外周壁２５１同士を連結するように形成された２つの連結壁２５２とから構成されている。これにより、絶縁材フレーム２５には、一対の連結壁２５２と一対の外周壁２５１とによって囲まれた中央隙間部２５４が形成され、中央隙間部２５４の両脇において、外周壁２５１と連結壁２５２との間に外側隙間部２５３が一対形成されている。
【００４６】
そして、コイル２３は、絶縁材フレーム２５における外周壁２５１及び連結壁２５２に沿って蛇行するようにこれらに固定されている。なお本例では、絶縁材フレーム２５の内部にコイル２３をインサート成形している。しかし、かかる固定方法は、これに限定されるものでなく、例えば、アウトサート成形によってコイル２３を絶縁材フレーム２５に固定してもよい。
そして、コイル２３は、外側隙間部２５３及び中央隙間部２５４を三方から囲むように、配設されている。
【００４７】
そして、コイルアッセンブリ２４は、図１０に示すごとく、上コア２１と下コア２２（図示略）によって、上下方向の両側から挟持されている。具体的には、コイルアッセンブリ２４の一対の外側隙間部２５３、２５３に、上コア２１及び下コア２２の外側磁脚２１３、２２３が配され、中央隙間部２５４に、上コア２１及び下コア２２の中心磁脚２１２、２２２が配されている。
【００４８】
これにより、上コア２１及び下コア２２の中心磁脚２１２、２２２と、外側磁脚２１３、２２３との間にコイル２３が配線されることとなる。そして、図９、図１０に示すごとく、コイルアッセンブリ２４は、上コア２１及び下コア２２の中心磁脚２１２、２２２及び外側磁脚２１３、２２３のそれぞれを、コイル２３によって上下に直交する方向の三方から囲い、絶縁材フレーム２５によって、上下に直交する方向の四方から囲うように配された状態となる。
また、コイル２３の一対のコイル端子２３１は、絶縁材フレーム２５の外周壁２５１から外側へ露出している。
【００４９】
また、バネホルダ３における保持脚部３２の垂下部３２１は、上コア２１及び下コア２２が配された状態のコイルアッセンブリ２４における、外周壁２５１と上コア２１及び下コア２２の側面２１０、２２０の間に配されている。
また、絶縁材フレーム２５における外側隙間部２５３と中央隙間部２５４との並び方向Ｘに対向する一対の外周壁２５１には、固定用脚部４２を、絶縁材フレーム２５の上下方向と上記並び方向Ｘとの双方に直交する方向（以下、これを幅方向Ｙという）に位置決めできる一対の位置決め部２６が設けられている。各位置決め部２６は、一対の突出片２６１によって構成されている。
なお、一対の位置決め部２６のうち一方の位置決め部２６には、突出片２６１から更に上方に突出して、他方の位置決め部２６の位置決め方向（上記幅方向Ｙ）と直交する方向（上記並び方向Ｘ）において、固定用脚部４２の垂下部４２１を外側から支承できる支承部２６２が一対形成されている。
その他は、実施例１と同様である。
【００５０】
本例の場合には、コイル２３は絶縁部材（絶縁材フレーム２５）に固定されてコイルアッセンブリ２４を構成し、コイルアッセンブリ２４は、上コア２１及び下コア２２を、上下に直交する方向の四方から囲うように配され、バネホルダ３における保持脚部３２の垂下部３２１は、上コア２１及び下コア２２とコイルアッセンブリ２４との間に配されている。これにより、バネホルダ３を磁気部品２へ組付ける際に、保持脚部３２を上コア２１及び下コア２２とコイルアッセンブリ２４との間に挿入することとなるが、その組付け作業を容易に行うことができる。すなわち、保持脚部３２を上コア２１及び下コア２２とコイルアッセンブリ２４との間に挿入するためには、保持脚部３２を大きく広げることができない。そのため、曲面３２３を備えた引掛け部３２２を有するバネホルダ３を用いることで、上コア２１及び下コア２２に欠けを生じさせることなく、これらの側面２１０、２２０に引掛け部３２２を摺動させて、容易に磁気部品２にバネホルダ３を装着することができる。また、例えば、通常行われる上コア２１と下コア２２とを保持するために両者の接合面の外周をテープで巻く、いわゆるテープ巻きを行った場合では容易に行えない組付け作業を容易に実現することができる。
【００５１】
また、絶縁材フレーム２５には、位置決め部２６が設けられている。これにより、固定用脚部４２を位置決め部２６における一対の突出片２６１の間に配置し、さらに支承部２６２に垂下部４２１を当接させることができる。そのため、絶縁材フレーム２５に対して上記幅方向Ｙ及び上記並び方向Ｘに固定用バネ部材４を容易に位置決めすることができる。
その他、参考例１及び実施例１と同様の作用効果を有する。
また、上記参考例１、参考例２及び実施例１においては、磁気部品２がチョークコイルである例を示したが、本発明はチョークコイルに限らず、例えば、トランス、リアクトル等、他の磁気部品にも適用できる。
【００５２】
また、上記参考例１、参考例２及び実施例１において、磁気部品２は上コア２１と下コア２２とが、中心軸を含む断面形状が略Ｅ字形状であるＥ型コア同士の組み合わせである、いわゆるＥＥタイプの磁気部品の例を示したが、本発明は、上記ＥＥタイプ以外の種々のタイプの磁気部品にも適用できる。
例えば、上記Ｅ型コアと、上記Ｅ型コアにおける中心磁脚及び外側磁脚を有しない板状であって中心軸を含む断面形状が略Ｉ字状のいわゆるＩ型コアと、を組み合わせた、いわゆるＥＩタイプの磁気部品にも本発明を適用できる。
【符号の説明】
【００５３】
１  磁気部品ユニット
２  磁気部品
２１  上コア
２１０  側面
２２  下コア
２２０  側面
２３  コイル
３  バネホルダ
３１  板バネ部
３２  保持脚部
３２１  垂下部
３２２  引掛け部
【図１】
0005720471.tif 000002
【図２】
0005720471.tif 000003
【図３】
0005720471.tif 000004
【図４】
0005720471.tif 000005
【図５】
0005720471.tif 000006
【図６】
0005720471.tif 000007
【図７】
0005720471.tif 000008
【図８】
0005720471.tif 000009
【図９】
0005720471.tif 000010
【図１０】
0005720471.tif 000011
【図１１】
0005720471.tif 000012